(57)【要約】      （修正有）【課題】放送の受信状況が悪い場合でも視聴可能なコンテンツを優先的にユーザへ提供する。【解決手段】コンテンツを記憶する記憶部４を備えた携帯情報端末１００は、放送されたコンテンツの受信状況を示す受信状況情報を、少なくとも１つのコンテンツについて取得し、取得した受信状況情報が示す受信状況に基づいて、受信されたコンテンツおよび保存されているコンテンツの中から優先的な再生の候補となるコンテンツを選択する優先順位決定部５を備えている。【選択図】図１
2012186690.tif 000002
【特許請求の範囲】
【請求項１】
放送されたコンテンツの受信状況を示す受信状況情報を、少なくとも１つのコンテンツについて取得する取得手段と、
上記取得手段が取得した受信状況情報が示す受信状況に基づいて、受信されたコンテンツの中から優先的な再生の対象またはその候補となるコンテンツを選択する選択手段とを備えることを特徴とする電子機器。
【請求項２】
上記選択手段は、上記受信状況に基づいて、上記候補としてのコンテンツを特定可能な情報をユーザに提示するときのコンテンツ間の優先順位を決定することを特徴とする請求項１に記載の電子機器。
【請求項３】
上記選択手段は、上記受信状況に基づいて、受信されたコンテンツを再生する優先順位を決定することを特徴とする請求項１に記載の電子機器。
【請求項４】
受信された上記コンテンツを記憶する記憶部をさらに備え、
上記選択手段は、上記受信状況に基づいて、上記記憶部に記憶されたコンテンツの一部を消去することにより、上記再生の対象またはその候補となるコンテンツを選択することを特徴とする請求項１〜３のいずれか１項に記載の電子機器。
【請求項５】
上記選択手段は、上記受信状況に基づいて、上記コンテンツを消去する優先順位を決定することを特徴とする請求項４に記載の電子機器。
【請求項６】
上記選択手段は、上記受信状況に加え、上記コンテンツの受信日時に基づいて、上記優先順位を決定することを特徴とする請求項２、３または５に記載の電子機器。
【請求項７】
ある時点における上記コンテンツの受信状況が所定の条件を満たさない場合に、上記選択手段は、上記再生の対象またはその候補となるコンテンツを選択することを特徴とする請求項１〜３のいずれか１項に記載の電子機器。
【請求項８】
受信されたコンテンツのうち、上記コンテンツをユーザに対して出力する出力部から出力されていないコンテンツを上記記憶部へ保存するコンテンツとして特定する特定手段をさらに備えることを特徴とする請求項４または５に記載の電子機器。
【請求項９】
上記コンテンツを受信する受信部と、
上記受信部が上記コンテンツを受信したときの受信状況を示す受信状況情報を生成する受信状況情報生成手段とをさらに備え、
上記取得手段は、上記受信状況情報生成手段が生成した受信状況情報を取得することを特徴とする請求項１〜８のいずれか１項に記載の電子機器。
【請求項１０】
上記受信状況情報生成手段は、上記コンテンツのデータ構成における特定の部分の受信状況に対して重み付けされた受信状況情報を生成し、
上記選択手段は、上記重み付けされた受信状況情報に基づいて上記コンテンツを選択することを特徴とする請求項９に記載の電子機器。
【請求項１１】
上記コンテンツを受信する受信部と、
上記受信部が受信したコンテンツを記憶する記憶部と、
上記受信部が受信可能なコンテンツのうち、所定の条件を満たすコンテンツを上記記憶部に格納するコンテンツ格納手段とをさらに備えることを特徴とする請求項１〜１０のいずれか１項に記載の電子機器。
【請求項１２】
上記コンテンツを受信する受信部と、
上記受信部が受信したコンテンツを記憶する記憶部と、
上記受信部が受信したコンテンツを、当該コンテンツの構成単位ごとに区分して上記記憶部に格納するコンテンツ格納手段とをさらに備えることを特徴とする請求項１〜１０のいずれか１項に記載の電子機器。
【請求項１３】
上記コンテンツの受信状況をユーザに報知する報知部をさらに備えることを特徴とする請求項１〜１２のいずれか１項に記載の電子機器。
【請求項１４】
請求項１〜１３の何れか１項に記載の電子機器を動作させるための制御プログラムであって、コンピュータを上記各手段として機能させるための制御プログラム。
【請求項１５】
請求項１４に記載の制御プログラムを記録したコンピュータ読み取り可能な記録媒体。
【請求項１６】
請求項１〜１３のいずれか１項に記載の電子機器と、
上記選択手段によって選択されたコンテンツを表示するディスプレイとを備えることを特徴とする表示装置。
【請求項１７】
請求項１〜１３のいずれか１項に記載の電子機器と、
上記選択手段によって選択されたコンテンツを表示するディスプレイとを備えることを特徴とする携帯情報端末。
【請求項１８】
電子機器の制御方法であって、
放送されたコンテンツの受信状況を示す受信状況情報を、少なくとも１つのコンテンツについて取得する取得工程と、
上記取得工程において取得した受信状況情報が示す受信状況に基づいて、受信されたコンテンツの中から優先的な再生の対象またはその候補となるコンテンツを選択する選択工程とを含むことを特徴とする制御方法。
【発明の詳細な説明】
【技術分野】
【０００１】
本発明は、放送を受信し、出力する表示装置、携帯情報端末、電子機器等に関するものである。
【背景技術】
【０００２】
放送を受信する場合、受信状況に影響を与えるさまざまな要因により受信信号の品質が低下する場合がある。例えば、据え置き型のテレビなど移動を前提としない受信装置においては、放送電波が電車や航空機などにより一時的に遮蔽された場合、受信信号の品質は低下する。また、携帯電話やタブレット型情報機器などの移動通信端末においては、ユーザの移動に伴って放送の受信環境が変化するために、据え置き型装置よりも受信信号の品質が低下する頻度が高まる可能性が高い。
【０００３】
こうした受信信号の品質が低下する状況においては、良質なコンテンツをユーザに提供できない。
【０００４】
そこで、下記の特許文献１および２には、こうした事態を回避するために、ユーザが放送電波を良好に受信できる状況下でテレビ番組を視聴しているときは、並行してその番組を録画する携帯型のテレビ受像機に関する発明が開示されている。
【０００５】
具体的には、特許文献１の発明では、テレビ放送の受信に際して、受信レベルが所定値以上である時は、受信している放送を再生しながら録画する。このとき、再生速度を受信速度よりも遅くすることで録画データのバッファリングを行う。そして、受信レベルが所定値未満になった場合は、バッファリングした録画データを再生する。
【０００６】
また、特許文献２の発明ではテレビ放送の受信に際して、受信レベルが所定値以上である時は、受信している放送を再生しながら録画する。そして、受信レベルが所定値未満である場合は、録画データをサイクリックに再生する。
【０００７】
一方で、受信したコンテンツと受信状況の情報とを対応付けて記録することにより、受信不良に関する問題の解決を図る従来技術も存在する。例えば、下記の特許文献３には、内蔵のＧＰＳを用いて取得した位置情報とその位置における受信状況に関する情報とを、受信したコンテンツと対応付けて保存する携帯端末に関する発明が開示されている。この発明によれば、受信状況に関する情報をユーザに提示することで、ユーザは放送番組を視聴、あるいは録画するために適した場所を選ぶことができるため、自発的に視聴困難となる状況を回避できる。
【０００８】
また、下記の特許文献４の発明では、音声信号を録音するときに、録音する音声信号に対応づけて、受信信号のレベルをメモリに記憶する。再生するときには、記憶されている受信信号のレベルを取得して、取得したレベルに基づいた信号レベル表示用の画像を表示装置に表示させる。これにより、録音した音声信号を再生する場合に、再生する音声信号を録音した時点における、受信信号のレベルをユーザに知らせることができる。
【先行技術文献】
【特許文献】
【０００９】
【特許文献１】特開２０１０−７４７２６号公報（平成２２年４月２日公開）
【特許文献２】特開２０１０−７４７２８号公報（平成２２年４月２日公開）
【特許文献３】特開２００８−２８３３７４号公報（平成２０年１１月２０日公開）
【特許文献４】特開２００９−１２４５０９号公報（平成２１年６月４日公開）
【発明の概要】
【発明が解決しようとする課題】
【００１０】
しかし、特許文献１の発明では、録画データをバッファリングするときに再生速度を落とすため、映像の動きが不自然に感じられるだけでなく、所定の速度で再生されないことにより、迫力や臨場感などのコンテンツが備えるべき重要な要素が損なわれる場合がある。例えば、スポーツの中継などはこうした要素が重要となるため、ユーザに提供するコンテンツの確保と引き替えにその質が低下するという問題が顕著になる。
【００１１】
また、特許文献２の発明では、受信障害が発生した場合に代替提示されるコンテンツは、すでにユーザが視聴したものに過ぎない。その上、視聴済みのコンテンツを再度視聴している間に受信状況が改善しなければ再び最初から提示することになるが、これでは実質的にコンテンツを提供しているとは言えず、ユーザの視聴意欲も伴わない。
【００１２】
なお、いずれの発明においてもユーザが放送を視聴している状況でのみその番組の録画を行うため、ユーザの視聴頻度が低い場合や視聴するとき常に電波障害が起こっている場合などは、確保するコンテンツの量が不十分となり得る。そのため、受信状況が悪い場合でもコンテンツを提供するという目的が達成できない可能性も考えられる。
【００１３】
一方、特許文献３および４の発明では、ユーザに視聴困難な場所での視聴または録画を避けるよう自発的な行動を促すに過ぎず、携帯端末自体が自律的に問題へ対処するわけではない。言い換えれば、特許文献３および４の発明は、受信状況が悪い場合でもユーザへコンテンツを提供するという課題を解決するものではない。
【００１４】
本発明は、上記の問題点に鑑みてなされたものであり、その目的は、放送の受信状況が悪い場合でも視聴または聴取可能なコンテンツを優先的にユーザへ提供することができる電子機器等を実現することにある。
【課題を解決するための手段】
【００１５】
上記の課題を解決するために、本発明の電子機器は、放送されたコンテンツの受信状況を示す受信状況情報を、少なくとも１つのコンテンツについて取得する取得手段と、上記取得手段が取得した受信状況情報が示す受信状況に基づいて、受信されたコンテンツの中から優先的な再生の対象またはその候補となるコンテンツを選択する選択手段とを備えていることを特徴としている。
【００１６】
また、本発明の電子機器の制御方法は、上記課題を解決するために、放送されたコンテンツの受信状況を示す受信状況情報を、少なくとも１つのコンテンツについて取得する取得工程と、上記取得工程において取得した受信状況情報が示す受信状況に基づいて、受信されたコンテンツの中から優先的な再生の対象またはその候補となるコンテンツを選択する選択工程とを含むことを特徴としている。
【００１７】
上記の構成によれば、取得手段は、放送されたコンテンツの受信状況を示す受信状況情報を、少なくとも１つ（通常は複数）のコンテンツについて取得する。受信されたコンテンツの全てに受信状況情報が対応付けられている必要は必ずしもなく、受信されたコンテンツの少なくとも１つについて受信状況情報を取得すればよい。
【００１８】
そして、選択手段は、受信状況情報が示す受信状況に基づいて、受信されたコンテンツの中から優先的な再生の対象またはその候補となるコンテンツを選択する。
【００１９】
優先的な再生の対象とは、例えば、受信されたコンテンツの中で最も受信状況が良いものを自動的に再生する場合の再生対象である。また、優先的な再生の対象の候補とは、受信したコンテンツの中で受信状況が良いコンテンツのタイトル等をユーザに提示し、再生の対象をユーザに選択させる場合の再生対象候補である。
【００２０】
それゆえ、ある時点において放送の受信状況が悪い場合でも、過去の受信状況に基づいて、視聴または聴取可能なコンテンツを優先的にユーザへ提供することができる。
【００２１】
また、上記選択手段は、上記受信状況に基づいて、上記候補としてのコンテンツを特定可能な情報をユーザに提示するときのコンテンツ間の優先順位を決定することが望ましい。
【００２２】
上記の構成によれば、上記選択手段によりコンテンツ間の優先順位が決定され、この優先順位を利用して、再生候補としてのコンテンツを特定可能な情報（例えば、タイトル）を提示できる。
【００２３】
それゆえ、再生対象として好ましいコンテンツを優先順位に従って提示でき、再生対象のコンテンツが複数存在する場合でも、再生対象として好ましいコンテンツをユーザに容易に認識させることができる。
【００２４】
また、上記選択手段は、上記受信状況に基づいて、受信されたコンテンツを再生する優先順位を決定することが望ましい。
【００２５】
上記の構成によれば、受信状況情報に基づいてコンテンツを再生する優先順位が決定される。
【００２６】
それゆえ、決定された優先順位にしたがってコンテンツを再生すれば、放送の受信状況が悪い場合でも、視聴または聴取可能なコンテンツを優先的にユーザに提供できる。
【００２７】
また、上記電子機器は、受信された上記コンテンツを記憶する記憶部をさらに備え、上記選択手段は、上記受信状況に基づいて、上記記憶部に記憶されたコンテンツの一部を消去することにより、上記再生の対象またはその候補となるコンテンツを選択する構成としてもよい。
【００２８】
上記の構成によれば、選択手段は、コンテンツの受信状況に基づいて、記憶部に記憶されたコンテンツの一部を消去する。受信状況が悪いコンテンツを消去すれば、その結果、受信状況が良いコンテンツが記憶部に残る。
【００２９】
したがって、上記一部のコンテンツが消去された後に記憶部に残されたコンテンツを再生すれば、結果的に再生対象として好ましいコンテンツをユーザに提供できる。
【００３０】
また、上記選択手段は、上記受信状況に基づいて、上記コンテンツを消去する優先順位を決定することが望ましい。
【００３１】
上記の構成によれば、受信状況情報に基づいてコンテンツを消去する優先順位が決定される。
【００３２】
それゆえ、決定された優先順位にしたがってコンテンツを消去することで、品質の悪いコンテンツを優先的に消去でき、その結果、再生対象として好ましいコンテンツを優先的にユーザに提供できる。
【００３３】
また、上記選択手段は、上記受信状況に加え、上記コンテンツの受信日時に基づいて、上記優先順位を決定することが望ましい。
【００３４】
上記の構成によれば、上記選択手段は、受信状況情報だけでなく、コンテンツの受信日時にも基づいて上記優先順位を決定する。
【００３５】
したがって、例えば所定の期間を経過したコンテンツは優先順位を下げるなど、コンテンツの鮮度に適した順位付けを行うことができる。
【００３６】
また、ある時点における上記コンテンツの受信状況が所定の条件を満たさない場合に、上記選択手段は、上記再生の対象またはその候補となるコンテンツを選択することが望ましい。
【００３７】
上記の構成によれば、コンテンツの受信状況が所定の条件を満たさない場合に、優先的な再生の対象またはその候補となるコンテンツが選択される。
【００３８】
それゆえ、受信信号の品質が低下したことを契機として、優先的な再生対象を提供できるか、またはその候補となるコンテンツの選択をユーザに促すことができる。
【００３９】
また、上記電子機器は、受信されたコンテンツのうち、上記コンテンツをユーザに対して出力する出力部から出力されていないコンテンツを上記記憶部へ保存するコンテンツとして特定する特定手段をさらに備えることが望ましい。
【００４０】
上記の構成によれば、出力部から出力されていないコンテンツ（すなわち、ユーザが視聴または聴取しているコンテンツ）は、記憶部へ保存されない。
【００４１】
それゆえ、ユーザ視聴済みまたは聴取済みのコンテンツを後に再生することによってユーザの視聴または聴取意欲が減退することを防止できる。
【００４２】
また、上記電子機器は、上記コンテンツを受信する受信部と、上記受信部が上記コンテンツを受信したときの受信状況を示す受信状況情報を生成する受信状況情報生成手段とをさらに備え、上記取得手段は、上記受信状況情報生成手段が生成した受信状況情報を取得する構成としてもよい。
【００４３】
上記の構成によれば、電子機器が備える受信部においてコンテンツを受信し、受信状況情報生成手段によって受信状況を示す受信状況情報が生成される。
【００４４】
それゆえ、本発明の電子機器をコンテンツ受信装置として実現でき、生成した受信状況情報に基づいて、視聴または聴取可能なコンテンツを優先的にユーザへ提供することができる。
【００４５】
また、上記受信状況情報生成手段は、上記コンテンツのデータ構成における特定の部分の受信状況に対して重み付けされた受信状況情報を生成し、上記選択手段は、上記重み付けされた受信状況情報に基づいて上記コンテンツを選択することが望ましい。
【００４６】
上記の構成によれば、コンテンツのデータ構成における特定の部分の受信状況に対して重み付けされた受信状況情報に基づいて優先的な再生対象またはその候補としてのコンテンツが選択される。
【００４７】
それゆえ、コンテンツの特定の部分（例えば、番組の結末の部分）の受信状況を重視してコンテンツを選択することができ、よりユーザの意図に沿ったコンテンツを優先的に提供できる。
【００４８】
また、上記電子機器は、上記コンテンツを受信する受信部と、上記受信部が受信したコンテンツを記憶する記憶部と、上記受信部が受信可能なコンテンツのうち、所定の条件を満たすコンテンツを上記記憶部に格納するコンテンツ格納手段とをさらに備えることが望ましい。
【００４９】
上記の構成によれば、受信部が受信可能なコンテンツのうち、所定の条件を満たすコンテンツが記憶部に保存される。受信部が受信可能なコンテンツには、既に受信したコンテンツおよびこれから受信可能なコンテンツが含まれる。すなわち、受信されたコンテンツから所定の条件を満たすコンテンツを選択し、記憶部に格納してもよいし、所定の条件を満たすコンテンツを選択的に受信し、記憶部に格納してもよい。
【００５０】
それゆえ、上記所定の条件としてユーザが設定した条件を用いれば、よりユーザの意図に沿ったコンテンツを優先的に提供できる。また、上記所定の条件として、信号品質に関する条件を用いれば、品質の良いコンテンツをより確実に提供できる。
【００５１】
また、上記電子機器は、上記コンテンツを受信する受信部と、上記受信部が受信したコンテンツを記憶する記憶部と、上記受信部が受信したコンテンツを、当該コンテンツの構成単位ごとに区分して上記記憶部に格納するコンテンツ格納手段とをさらに備える構成としてもよい。
【００５２】
上記の構成によれば、受信部が受信したコンテンツは、当該コンテンツの構成単位ごとに区分して記憶部に格納される。
【００５３】
それゆえ、記憶されたコンテンツの管理（再生および消去）を容易にすることができる。
【００５４】
また、上記電子機器は、上記コンテンツの受信状況をユーザに報知する報知部をさらに備えることが望ましい。
【００５５】
上記の構成により、ユーザに各コンテンツの受信状況を知らせることができる。
【００５６】
また、本発明の表示装置は、上記電子機器と、上記選択手段によって選択されたコンテンツを表示するディスプレイとを備えることを特徴としている。
【００５７】
また、本発明の携帯情報端末は、上記電子機器と、上記選択手段によって選択されたコンテンツを表示するディスプレイとを備えることを特徴としている。
【００５８】
上記の構成によれば、選択手段によって選択されたコンテンツをディスプレイに表示することができ、ユーザに当該コンテンツを視聴させることができる。
【００５９】
なお、上記電子機器は、コンピュータによって実現してもよく、この場合には、コンピュータを上記電子機器の各手段として動作させることにより、上記電子機器をコンピュータにて実現させる制御プログラム、及びそれを記録したコンピュータ読み取り可能な記録媒体も本発明の技術的範囲に含まれる。
【発明の効果】
【００６０】
以上のように、本発明の電子機器は、放送されたコンテンツの受信状況を示す受信状況情報を、少なくとも１つのコンテンツについて取得する取得手段と、上記取得手段が取得した受信状況情報が示す受信状況に基づいて、受信されたコンテンツの中から優先的な再生の対象またはその候補となるコンテンツを選択する選択手段とを備えている構成である。
【００６１】
また、本発明の電子機器の制御方法は、以上のように、放送されたコンテンツの受信状況を示す受信状況情報を、少なくとも１つのコンテンツについて取得する取得工程と、上記取得工程において取得した受信状況情報が示す受信状況に基づいて、受信されたコンテンツの中から優先的な再生の対象またはその候補となるコンテンツを選択する選択工程とを含む構成である。
【００６２】
それゆえ、放送の受信状況が悪い場合でも、視聴または聴取可能なコンテンツをユーザへ優先的に提供できるという効果を奏する。
【図面の簡単な説明】
【００６３】
【図１】本発明の一実施形態に係る携帯情報端末の要部構成を示すブロック図である。
【図２】上記携帯情報端末が備える受信状況情報記憶部に保存されている受信状況テーブルの一例を示す図である。
【図３】上記携帯情報端末において再生対象となるコンテンツをユーザに選択させる処理の流れの一例を示すフローチャートである。
【図４】（ａ）〜（ｃ）は、再生対象となるコンテンツをユーザが選択するための選択画面の一例を示す図である。
【図５】上記携帯情報端末が備えるコンテンツ選択部が実行する優先順位決定処理の別の例を示すフローチャートである。
【図６】上記携帯情報端末におけるコンテンツ保存処理の流れの一例を示すフローチャートである。
【図７】本発明の別の実施形態に係る携帯情報端末の要部構成を示すブロック図である。
【図８】本発明の別の実施形態に係る携帯情報端末におけるコンテンツの自動再生処理の流れの一例を示すフローチャートである。
【発明を実施するための形態】
【００６４】
〔実施の形態１〕
以下、本発明の一実施の形態について、図１〜図６に基づいて詳細に説明する。本実施形態では、本発明の電子機器の一例として、放送されたテレビ番組を受信し、再生する携帯情報端末１００を挙げて説明する。
【００６５】
前述したように、移動を前提としない装置においても受信障害は発生し得るが、ユーザの移動に伴って受信環境が動的に変化する携帯型の情報端末において、受信障害によってテレビ番組を視聴できないという問題が顕著に現れる。それゆえ、以下では携帯情報端末について述べる。
【００６６】
ただし、本発明の電子機器は、携帯情報端末に限定されず、据え置き型の端末装置（例えば、テレビ受像機）であってもよい。また、上記電子機器が受信する放送番組に画像が含まれている場合（すなわち、放送番組がテレビ番組の場合）には、本発明の電子機器を表示装置と表現することもできる。また、上記電子機器が受信する放送番組は音声のみからなるものであってもよく、本発明の電子機器はラジオであってもよい。
【００６７】
〔概要〕
携帯情報端末１００は、ユーザが放送番組（以下、コンテンツと称する）を見ることを所望したときに受信障害が発生しており、視聴可能なコンテンツを提供できない場合には、受信状況が良いときに記録しておいたコンテンツをユーザに提供する。
【００６８】
このとき、携帯情報端末１００は、コンテンツを受信したときの受信状況を示す受信状況情報に基づいて、受信されたコンテンツの中から優先的な再生の候補となるコンテンツを選択する。具体的には、携帯情報端末１００は、既に保存されているコンテンツの受信状況に基づいて、受信状況が良いコンテンツが優先的に示されたリスト等をユーザに提示する。
【００６９】
これにより、ユーザは提示されたリスト等の中から再生を希望するコンテンツを指定でき、受信障害が発生している状況にあっても良質のコンテンツを楽しむことができる。
【００７０】
このような構成を実現するために、携帯情報端末１００は、コンテンツの保存指示をユーザが明示的に行っていない場合でも、放送の受信状況が良いときには、コンテンツをその受信状況情報と対応づけて保存する。
【００７１】
〔携帯情報端末の構成〕
図１は、本実施形態に係る携帯情報端末１００の構成を示すブロック図１である。図１に示すように、携帯情報端末１００は、制御部１、入力部８１、表示部８２（ディスプレイ、出力部、報知部）、および受信部１０を備えている。また、制御部１には、受信状況管理部２、コンテンツ管理部３、記憶部４、優先順位決定部５（取得手段、選択手段）、消去対象選択部６（選択手段、消去手段）、出力制御部７、タイマー９が含まれている。
【００７２】
（受信状況管理部２）
受信状況管理部２は、受信状況情報生成部２１（受信状況情報生成手段）と受信状況判定部２２とを含む。
【００７３】
受信状況情報生成部２１は、受信部１０の受信状況測定部１１から出力された電界強度測定値およびタイマー９からの日時情報を用いて、受信部１０がコンテンツを受信したときの日時および受信状況を示す受信状況テーブル（受信状況情報を含むテーブル）を生成し、受信状況情報記憶部４３に保存する。
【００７４】
ここで、放送信号（または、コンテンツ）の受信状況とは、受信された放送信号の状態を示す概念であり、コンテンツを伝送する放送信号の強度または品質を意味する。
【００７５】
また、受信状況情報とは、放送信号の受信状況を表す情報であり、受信状況を直接的に示す数値（放送信号の電界強度（信号強度）、ビット誤り率など）、当該数値から算出された段階的な受信状況のレベルを示す情報、受信状況を示す数値に対して演算を行うことによって得られる数値などが含まれる。
【００７６】
受信状況判定部２２は、受信状況測定部１１から出力された電界強度測定値に基づいて受信障害の発生の有無を判定する。受信障害が発生したという判定は、優先順位決定部５においてコンテンツの優先順位を決定する処理を開示させるトリガーとなる。また、受信障害が発生していないという判定は、コンテンツ管理部３がコンテンツの保存を行うかどかの判定を行うトリガーとなる。
【００７７】
（コンテンツ管理部３）
コンテンツ管理部３は、受信状況が悪いときにユーザに何らかのコンテンツを提供するために、ユーザの明示的な指示がなくとも、放送信号が受信部１０の検出限界以上である場合には、受信したコンテンツをコンテンツ記憶部４２へ保存する。このコンテンツ管理部３は、コンテンツ特定部３１（特定手段）とコンテンツ格納部３２（コンテンツ格納手段）とを含む。
【００７８】
コンテンツ特定部３１は、所定の判定基準に基づいて、受信部１０が受信したコンテンツをコンテンツ記憶部４２へ保存するかどうかを判定する。
【００７９】
特に、コンテンツ特定部３１は、受信部１０が受信可能なコンテンツのうち、表示部８２から出力されていない（すなわち、ユーザが視聴していない）コンテンツをコンテンツ記憶部４２へ保存するコンテンツとして特定する。
【００８０】
また、コンテンツ特定部３１は、所定以上の信号強度または品質を有する放送信号によって伝送されるコンテンツを保存するようコンテンツ格納部３２に命じてもよい。
【００８１】
また、コンテンツ特定部３１は、所定の時間帯においてのみコンテンツを保存するようコンテンツ格納部３２に命じてもよい。なお、上記所定の時間帯は、ユーザによって予め設定されればよい。
【００８２】
また、コンテンツ特定部３１は、受信したコンテンツが後述するユーザ嗜好情報が示すジャンルに属する場合に、当該コンテンツを保存するようコンテンツ格納部３２に命じてもよい。
【００８３】
または、コンテンツ特定部３１は、上記所定の判定基準を満たすコンテンツ（例えば、ユーザ嗜好情報が示すジャンルに属するコンテンツ）を受信するよう受信部１０を制御し、受信されたコンテンツを保存するようコンテンツ格納部３２に命じてもよい。ユーザ嗜好に合ったコンテンツを特定するために、コンテンツ特定部３１は、個人情報記憶部４１に保存されたユーザ嗜好情報およびコンテンツ記憶部４２に保存されたＥＰＧを参照すればよい。
【００８４】
または、コンテンツ特定部３１は、ユーザの録画設定（チャンネル、時間帯、番組のジャンルなどを含む）に従って受信部１０のチャンネルおよびコンテンツの保存時間帯を設定してもよい。
【００８５】
コンテンツ格納部３２は、コンテンツ特定部３１からのコンテンツ保存命令に従い、受信部１０が受信したコンテンツをコンテンツ記憶部４２へ保存する。すなわち、コンテンツ格納部３２は、所定の条件（判定基準）を満たすコンテンツをコンテンツ記憶部４２に格納する。
【００８６】
このときコンテンツ格納部３２は、受信した放送をコンテンツとして切り分けて保存する。すなわち、コンテンツ格納部３２は、受信部１０が受信したコンテンツを、当該コンテンツの構成単位ごとに区分してコンテンツ記憶部４２に格納する。
【００８７】
例えば、コンテンツ格納部３２は、ＥＰＧ等の電子化された番組表を参照し、番組の切れ目で放送データを切り分けてもよく、放送データを単純に時間で切り分けてもよい。時間で切り分ける効果としては、受信状況が不安定でＥＰＧの取得が期待できない場合や、そもそもＥＰＧの提供がなされていない環境下でも使用できる点が挙げられる。
【００８８】
（記憶部４）
記憶部４は、携帯情報端末１００で使用する各種データを記憶するための記憶装置である。この記憶部４は、ユーザの個人情報を記憶する個人情報記憶部４１、受信したコンテンツを記憶するコンテンツ記憶部４２、およびコンテンツに対応する受信状況情報を記憶する受信状況情報記憶部４３を含む。
【００８９】
上記個人情報には、ユーザが視聴することを好む番組のジャンルまたは番組名を示すユーザ嗜好情報が含まれる。また、このユーザ嗜好情報には、ユーザが視聴することを好む番組が放送される可能性の高い時間帯（例えば、午後１０時〜翌日午前２時など）を示す情報が含まれていても良い。
【００９０】
上記ユーザ嗜好情報は、ユーザによって入力されてもよいし、入力部８１を介した過去の操作履歴等からユーザの嗜好を抽出することにより生成されてもよい。
【００９１】
また、コンテンツ記憶部４２には、放送によって受信したＥＰＧ（Electronic Program Guide）も格納されている。コンテンツ記憶部４２に記憶されたＥＰＧは、新たなＥＰＧを受信したときに更新される。
【００９２】
なお、記憶部４は、不揮発性の記憶装置、例えば半導体メモリやハードディスク等で構成できる。また、本実施形態では携帯情報端末を想定しているため、記憶部４が携帯情報端末１００の内部に含まれる構成として図示しているが、記憶部４は、有線、または無線で携帯情報端末１００と通信可能に接続された外部記憶装置として実現されてもよい。
【００９３】
（優先順位決定部５）
優先順位決定部５は、放送されたコンテンツの受信状況を示す受信状況情報を、少なくとも１つのコンテンツについて受信状況情報生成部２１から取得し、取得した受信状況情報が示す受信状況に基づいて、受信されたコンテンツの中から優先的な再生の候補となるコンテンツを選択する。
【００９４】
具体的には、優先順位決定部５は、受信状況テーブルに示された受信状況に基づいて、コンテンツ記憶部４２に保存されているコンテンツの中から再生の候補となるコンテンツを選択するための情報（コンテンツ選択画面）をユーザに提示するときのコンテンツ間の優先順位を決定する。このとき、優先順位決定部５は、受信状況に加え、コンテンツの受信日時に基づいて、優先順位を決定してもよい。
【００９５】
優先順位決定部５が優先順位の決定処理を開始するタイミングは、例えば、ユーザが放送を視聴中または放送を視聴するための操作を行ったときに、受信部１０が受信する放送信号が検出限界未満になった場合である。
【００９６】
優先順位決定部５は、決定した優先順位を出力制御部７の選択画面生成部７１へ出力する。
【００９７】
（消去対象選択部６）
消去対象選択部６は、各コンテンツの受信状況に基づいて、コンテンツ記憶部４２に保存されているコンテンツの一部を消去することにより、結果的に、優先的な再生の候補となるコンテンツを選択する。
【００９８】
携帯情報端末１００では、ユーザの明示的な指示がなくとも、受信したコンテンツが自動的にコンテンツ記憶部４２へ保存されるため、コンテンツ記憶部４２の記憶容量が不足する事態が想定される。コンテンツ記憶部４２の記憶容量が不足した場合に、消去対象選択部６は、削除するコンテンツを選択し、選択したコンテンツを削除する。なお、コンテンツの削除（消去）には、コンテンツの上書き保存も含まれる。
【００９９】
具体的には、消去対象選択部６は、コンテンツ記憶部４２に保存されているコンテンツについて、各コンテンツの受信状況に基づいてこれらのコンテンツを消去する優先順位を決定し、優先順位の上位のコンテンツから削除する。
【０１００】
なお、消去対象選択部６は、第1の条件に基づいてコンテンツ記憶部４２に保存されているコンテンツの中から消去の候補となる複数のコンテンツを選択した後に、選択したコンテンツに対して、第２の条件に基づいて消去に関する優先順位を付与してもよい。
【０１０１】
上記第1の条件または上記第２の条件の一方は、受信状況であり、他方は、例えば、保存日時（または受信日時）である。この場合、消去対象選択部６は、例えば、コンテンツ記憶部４２に保存されているコンテンツの中から保存日時の古い一群のコンテンツ（例えば、一週間以上前に保存されたコンテンツ）を選択し、選択したコンテンツについて受信状況が悪いものから削除してもよい。また、消去対象選択部６は、受信状況の悪いコンテンツから順に消去し、所定のレベル以上の品質を有するコンテンツのみがコンテンツ記憶部４２に保存されている状態になった場合に、保存日時の古いコンテンツから順に消去してもよい。
【０１０２】
なお、コンテンツの保存日時と受信日時とは厳密には異なるが、技術的意義としては同じである。そのため、本明細書において保存日時と受信日時と読み替えても差し支えない。
【０１０３】
さらに、消去対象選択部６は、個人情報記憶部４１に保存されている個人情報が示すユーザの嗜好（第３の条件）に基づいて消去対象のコンテンツを選択してもよい。
【０１０４】
なお、消去対象選択部６が自動的にコンテンツを削除するのではなく、ユーザの許可を得てから削除する構成にしてもよい。また、消去対象選択部６が上述のように、コンテンツを消去する優先順位を決定し、その優先順位を表示部８２においてユーザに提示し、ユーザに消去するコンテンツを選択させてもよい。この場合、受信状況が悪いコンテンツコンテンツが優先的な消去対象として提示されてもよいし、古いコンテンツが優先的な消去対象として提示されてもよい。
【０１０５】
その他、消去対象選択部６は、優先順位決定部５が決定した優先順位とは逆の順序の優先順位に従ってコンテンツを消去してもよい。この考え方に基づけは、コンテンツの優先順位を決定する機能ブロックは優先順位決定部５のみでもよい。コンテンツ選択画面を生成する場合には、再生対象として好ましい優先順位の上位のコンテンツから順に表示し、コンテンツを削除する場合には、上記優先順位の下位のコンテンツから順に削除すればよい。
【０１０６】
このような消去対象選択部６を設ければ、コンテンツが淘汰され、結果的に良質なコンテンツがコンテンツ記憶部４２に残されることになる。それゆえ、優先順位決定部５において、コンテンツの優先順位を決定し、良質なコンテンツを優先的にユーザに提示する必要は必ずしもない。
【０１０７】
それゆえ、消去対象選択部６を設ける場合には、優先順位決定部５を設けずに、コンテンツ記憶部４２に保存されているコンテンツのタイトル等がランダムに、または保存日時順に示されたリストを表示する構成にしてもよい。
【０１０８】
逆に、優先順位決定部５を設ける場合には、消去対象選択部６では、受信状況に関わらず、保存日時（または受信日時）の古いコンテンツから順に消去する構成にしてもよい。
【０１０９】
ただし、優先順位決定部５が、優先順位決定部５と消去対象選択部６との両方を設けることにより、より確実に良質なコンテンツをユーザに提供できる可能性が高められる。
【０１１０】
（出力制御部７）
出力制御部７は、表示部８２の表示制御を行うものであり、選択画面生成部７１と表示画面制御部７２とを含む。
【０１１１】
選択画面生成部７１は、優先順位決定部５（または消去対象選択部６）によって候補として選び出されたコンテンツから、再生（または消去）すべきコンテンツの選択をユーザに促すためのコンテンツ選択画面を生成する。
【０１１２】
表示画面制御部７２は、コンテンツのデータを復号する等の処理を行った上で、当該コンテンツを表示部８２へ出力する。
【０１１３】
（入力部８１）
入力部８１は、ユーザからの入力を受け付ける入力装置であり、例えば、操作キーである。なお、入力部８１を、表示部８２に入力部としての機能を持たせたタッチパネルとして実現してもよい。また、入力部８１を携帯情報端末１００と有線接続または無線接続する外部の装置として実現してもよい。
【０１１４】
（表示部８２）
表示部８２は、ユーザが選択したコンテンツを表示する表示装置であり、出力制御部７の制御にしたがって動作する。この表示部８２は、例えば、液晶ディスプレイである。また、表示部８２は、コンテンツの受信状況をユーザに報知する報知部としても機能する。また、表示部８２は、携帯情報端末１００と通信可能に接続された外部の表示装置であってもよい。
【０１１５】
なお、図１には示していないが、表示部８２はスピーカも備えている。コンテンツの受信状況の表示とともに、当該受信状況をスピーカから音声として出力してもよい。この場合、スピーカも報知部として機能する。
【０１１６】
（タイマー９）
タイマー９は、現在の日付と時刻を計測し、日時を示す日時情報を受信状況管理部２へ出力する。この日時情報は、上述したように、受信状況情報生成部２１において受信状況テーブルを生成するために用いられる。
【０１１７】
（受信部１０）
受信部１０は、放送電波によって伝送されたコンテンツを受信する受信装置である。受信部１０が受信する放送は、アナログ放送であってもよいし、地上波デジタル放送であっても、ワンセグ放送であってもよい。この受信部１０は、受信状況測定部１１を備えている。
【０１１８】
受信状況測定部１１は、放送電波の電界強度を常時測定し、この測定値（電界強度測定値）を受信状況情報生成部２１および受信状況判定部２２へ出力する。電界強度の測定は、ユーザがコンテンツを視聴していないときにも行われる。
【０１１９】
なお、放送電波の受信状況を判定するために電界強度以外のファクターを測定してもよい。デジタル放送を受信する場合においては、電界強度だけでなく、ビット誤り率やＣ／Ｎ比（Ｃａｒｒｉｅｒ  ｔｏ  Ｎｏｉｓｅ  Ｒａｔｉｏ）を放送電波の状況を示す指標（受信状況情報）として用いることができる。この構成によれば、ユーザの見た目での画質は同じでも、コンテンツの途中で一時的に画質が悪くなり得るものを判別することができる。しかし本実施形態では、受信状況を判定するために電界強度を測定するものとする。
【０１２０】
また、図１では受信部１０を１つしか示していないが、携帯情報端末１００に受信部１０を複数備えてもよい。この場合、異なる複数のコンテンツを同時に受信することができるため、例えば一つの受信部１０を用いてユーザがコンテンツを視聴しているときでも、他の受信部１０がこれと異なるコンテンツを保存する機能（裏番組の保存）を実現できる。
【０１２１】
また、受信部１０は、ケーブルを介して放送信号を受信してもよい。
【０１２２】
また、ユーザの明示的な指示がない状況において自動的にコンテンツを受信する場合には、受信部１０は、ランダムにチャンネルを選択してもよいし、上述したようにコンテンツ特定部３１の命令に従ってチャンネルを設定してもよい。
【０１２３】
〔受信状況情報の生成〕
次に、受信状況情報生成部２１が生成する受信状況情報の詳細について説明する。図２は、受信状況情報を含む受信状況テーブルを示す図である。図２に示すように、受信状況テーブルには、受信したコンテンツの識別情報（ＩＤ）、当該コンテンツを受信したときの受信状況、当該コンテンツを受信したときの日時、当該コンテンツのタイトルが示されている。ただし、受信状況テーブルには、少なくとも受信状況情報と、当該受信状況情報がどのコンテンツを受信したときの情報であるかを示す情報（コンテンツ特定情報）とが含まれていればよい。それゆえ、受信状況テーブルは、図２に示すものに限定されない。また、受信状況情報は、テーブル形式で保存される必要はかならずしもない。
【０１２４】
（コンテンツＩＤ）
コンテンツのＩＤによって、コンテンツ記憶部４２に格納されているコンテンツのデータを一意に識別できる。なお、コンテンツは、ＩＤ以外の他の情報（タイトル、受信日時など）によっても一意に識別できるため、上記コンテンツＩＤはなくても構わない。また、コンテンツのＩＤは数字に限定されず、文字であってもよい。
【０１２５】
（受信状況情報）
受信状況情報生成部２１は、受信状況測定部１１から出力された電界強度測定値が、予め定められた複数の区分のうちのいずれの区分に属するかを判定し、当該区分を示す情報を受信状況情報として受信状況テーブルに記録する。例えば、受信状況情報生成部２１は、電界強度測定値を、「強」、「中」、「弱」、「圏外」や、「Ｓ」、「Ａ」、「Ｂ」、「Ｃ」、「Ｄ」などの多段階に区分した記号へ変換して受信状況情報とする。
【０１２６】
あるいは、電界強度測定値そのものを受信状況情報としてもよい。前述したように、受信状況情報は、優先順位決定部５がコンテンツの優先順位を決定するときの基準の１つであるため、互いに比較可能な形式であれば、どのような形式で表現されていても構わない。
【０１２７】
また、受信状況情報生成部２１は、あるコンテンツが放送されている間、所定の時間間隔で電界強度測定値を取得し、取得した複数の電界強度測定値の統計値を算出し、受信状況情報としてもよい。上記統計値は、例えば、平均値、最高値および最低値、中央値である。このような統計値を用いることにより、コンテンツの全体にわたって良好な品質のコンテンツを推定することが可能となり、より確実に信号品質の良いコンテンツを優先的にユーザに提供することができる。
【０１２８】
また、受信状況情報生成部２１は、コンテンツの放送時間内の特定のタイミングまたはコンテンツの保存処理の特定のタイミング（例えば、コンテンツの保存開始時点または保存終了時点）で電界強度測定値を取得してもよい。
【０１２９】
また、受信状況情報生成部２１は、あるコンテンツの放送時間の全体に対して受信状況の良い時間の占める割合を算出し、その割合の高いコンテンツほど高いスコア（受信状況スコア）を付けてもよい。このスコアも受信状況情報の一種である。放送全体の時間は、ＥＰＧを参照するか、または予定された保存時間から算出することによって取得すればよい。
【０１３０】
（受信日時）
受信状況情報生成部２１は、受信状況情報に加えて、コンテンツを受信したときの日時を示す日時情報を受信状況テーブルに含める。そのために、受信状況情報生成部２１は、受信状況測定部１１から電界強度測定値を取得した時点で、タイマー９から日時情報を取得する。または、受信状況測定部１１がタイマー９を参照して日時情報を取得し、電界強度測定値と対応づけて受信状況情報生成部２１へ出力してもよい。
【０１３１】
（コンテンツタイトル）
受信した放送のチャンネルを示すチャンネル情報が受信部１０から受信状況情報生成部２１へ出力される。受信状況情報生成部２１は、このチャンネル情報、タイマー９から得た日時情報およびコンテンツ記憶部４２に保存されているＥＰＧを参照することでコンテンツのタイトルを特定し、受信状況テーブルに記録する。
【０１３２】
なお、コンテンツ記憶部４２に保存されたコンテンツに関するタイトルおよびＩＤなどの情報は、コンテンツが保存された後にコンテンツ格納部３２から受信状況情報生成部２１へ出力されてもよい。
【０１３３】
〔再生対象のコンテンツをユーザに選択させる処理の流れ〕
続いて、携帯情報端末１００において、コンテンツ選択画面を表示し、再生対象となるコンテンツをユーザに選択させる処理の流れの一例について、図３に基づいて説明する。図３は、携帯情報端末１００において再生対象となるコンテンツをユーザに選択させる処理の流れの一例を示すフローチャートである。
【０１３４】
まず、制御部１は、入力部８１を介してユーザからコンテンツの視聴指示を受け付けると、当該視聴指示を受信部１０へ出力する（Ｓ１０１においてＹＥＳ）。
【０１３５】
視聴指示を受信すると、受信部１０は、当該視聴指示が示す放送チャンネルの電波を受信できるようにチューニングを行う。このとき、受信状況測定部１１は、受信した電波の電界強度を測定し、この測定値（電界強度測定値）を受信状況管理部２の受信状況情報生成部２１および受信状況判定部２２へ出力する（Ｓ１０２）。
【０１３６】
受信状況情報生成部２１は、電界強度測定値を受け取ると、上述したように電界強度測定値から受信状況情報を生成するとともに、当該受信状況情報を含む受信状況テーブルを生成する。そして、受信状況情報生成部２１は、生成した受信状況テーブルを受信状況情報記憶部４３に格納する（Ｓ１０３）。
【０１３７】
一方、受信状況判定部２２は、電界強度測定値を受け取ると、この電界強度測定値に基づいて受信障害の発生の有無を判断する（Ｓ１０４）。ここで、受信障害が発生している状況とは、放送を受信できず、ユーザに視聴可能なコンテンツを提供できない状況であり、具体的には、例えば電界強度測定値が所定の値よりも小さい状況である。
【０１３８】
受信状況判定部２２は、ユーザが視聴しようとしている１つのチャンネルの放送電波が一定時間所定の強度以上の電界強度を有さない場合に受信障害が発生していると判断してもよい。
【０１３９】
または、受信状況判定部２２は、ユーザが視聴できるチャンネルが無いかをチャンネルを変えながら探す動作に合わせて各チャンネルの受信状況をモニタし、登録されている全チャンネルが受信不可であった場合に、受信障害が発生していると判断してもよい。すなわち、登録されているいずれのチャンネルの放送電波も所定の強度以上の電界強度を有さない場合に、受信状況判定部２２は、受信障害が発生していると判断してもよい。
【０１４０】
受信障害が発生していないと判断した場合（Ｓ１０４においてＮＯ）、受信状況判定部２２は、ユーザが視聴を希望したコンテンツを表示部８２へ出力するよう表示画面制御部７２に指示する。
【０１４１】
この指示を受信すると表示画面制御部７２は、表示部８２を制御することにより上記コンテンツを表示する（Ｓ１１０）。
【０１４２】
一方、受信障害が発生していると判断した場合（Ｓ１０４においてＹＥＳ）、受信状況判定部２２はコンテンツ記憶部４２を参照し、コンテンツ記憶部４２になんらかのコンテンツが保存されているかどうかを判定する（Ｓ１０５）。
【０１４３】
なんらかのコンテンツが保存されていると判定した場合（Ｓ１０５においてＹＥＳ）、受信状況判定部２２は、保存されているコンテンツ間の優先順位を決定することを命じる優先順位決定命令を優先順位決定部５に出力する。
【０１４４】
優先順位決定命令を受信すると、優先順位決定部５は、受信状況情報記憶部４３に格納されている受信状況テーブルに基づいて、コンテンツ記憶部４２に保存されているコンテンツ間の優先順位を決定する。すなわち、ある時点におけるコンテンツの受信状況が所定の条件を満たさないと受信状況判定部２２が判定した場合に、優先順位決定部５は、コンテンツ間の優先順位を決定することにより、優先的な再生の候補となるコンテンツを選択する。
【０１４５】
例えば、優先順位決定部５は、受信状況が良いコンテンツが上位にくるように優先順位を決定する。受信状況が複数のレベルに区分されており、受信状況が同じレベルのコンテンツが複数存在している場合には、受信日時が新しいコンテンツを上位に設定してもよい。
【０１４６】
また、優先順位決定部５は、受信状況情報に加え、個人情報記憶部４１に格納されたユーザ嗜好情報を参照して上記優先順位を決定してもよい。例えば、優先順位決定部５は、ユーザ嗜好情報が示すジャンルのコンテンツが上位にくるように上記優先順位を決定してもよい。
【０１４７】
また、優先順位決定部５は、受信状況情報を含む複数の情報（ファクター）に基づいて上記優先順位を決定してもよい。この場合には、優先順位決定部５は、当該複数のファクターからスコア（優先順位決定用スコア）を算出し、このスコアの高い順に優先順位を決定すればよい。優先順位決定用スコアを算出するときに、どのファクターに重きを置くかは、予めユーザによって設定されればよい。
【０１４８】
優先順位決定部５は、算出した優先順位を示す優先順位情報を選択画面生成部７１へ出力する。
【０１４９】
優先順位情報を受信すると、選択画面生成部７１は、優先順位情報が示す優先順位に従ってコンテンツタイトルが配置された選択画面を生成し、この選択画面を表示画面制御部７２へ出力する（Ｓ１０８）。この選択画面では、原則として受信状況の良いコンテンツが優先的にユーザに提示される。
【０１５０】
図４は、再生対象となるコンテンツをユーザが選択するための選択画面の一例を示す図である。図４（ａ）に示すように、優先順位付けされたコンテンツを、その順位にしたがってテーブル形式で表示してもよい。この例では、優先順位決定部５が優先順位を決定するときに、受信状況情報よりも受信日に重きをおいて優先順位を決定したことにより、受信日の新しいものがリストの上位に表示されている。そして、受信日が同じコンテンツについては、受信状況が良いコンテンツが上位に表示されている。
【０１５１】
また、図４（ｂ）に示すように、優先順位付けされたコンテンツをそのサムネイルとともに表示してもよい。この例では、矢印が示す優先順位に従ってコンテンツのサムネイルが配置されており、優先順位が最も高いコンテンツのサムネイルが左上に配置されている。また、優先順位に応じてサムネイルの大きさまたは色（例えば枠の色）を変えてもよい。
【０１５２】
さらに、図４（ｃ）に示すように、優先順位付けされたコンテンツのサムネイルが立体的な円を描くように配置され、その時点で再生対象として仮に選択されているコンテンツのサムネイルが前面に表示されるような態様で表示してもよい。この画面で確定操作を行えば、仮に選択されているコンテンツが再生される。なお、図４（ｃ）における図中の矢印は優先順位を表す。
【０１５３】
いずれの例においても、受信状況の良いコンテンツがユーザに優先的に提示されているとともに、コンテンツの受信状況がユーザに報知されている。これにより、保存されているコンテンツのうち、受信状況が良好なコンテンツが優先的に再生されるようにユーザを誘導することができる。
【０１５４】
そして、上記選択画面を使ってユーザが入力部８１により再生対象のコンテンツを選択すると（Ｓ１０９）、表示画面制御部７２は選択されたコンテンツの再生を行う（Ｓ１１０）。
【０１５５】
一方、コンテンツが保存されていない場合（Ｓ１０５においてＮＯ）、受信状況判定部２２は、再生可能なコンテンツが存在しないことをユーザに通知する画面を表示するよう表示画面制御部７２に指示する。
【０１５６】
この指示を受信すると、表示画面制御部７２は、表示部８２に上記画面を表示させる（Ｓ１０６）。
【０１５７】
〔優先順位決定処理の流れの変更例〕
次に、図３のＳ１０７における優先順位決定処理の別の例について説明する。図５は、優先順位決定処理の別の例を示すフローチャートである。ここでは、受信状況に基づいて優先順位を決定する前に、優先順位を決定する対象のコンテンツを別の基準によって選抜する処理の流れについて説明する。
【０１５８】
まず、優先順位決定部５は、受信状況情報記憶部４３から受信状況テーブル（図２参照）を読み出す（Ｓ２０１）。
【０１５９】
次に、優先順位決定部５は、個人情報記憶部４１からユーザ嗜好情報を読み出す（Ｓ２０２）。
【０１６０】
次に、優先順位決定部５は、コンテンツ記憶部４２に保存されているコンテンツの中から所定の条件を満たすコンテンツを抽出する（Ｓ２０３、Ｓ２０４）。
【０１６１】
例えば、優先順位決定部５は、当該コンテンツの受信状況が所定のレベル以上（例えば、Ｂランク以上）であるコンテンツを抽出する。また、優先順位決定部５は、当該コンテンツの受信日が、現時点から所定の日数以内である（例えば、１週間以内に受信されたコンテンツである）コンテンツを抽出してもよい。また、優先順位決定部５は、当該コンテンツが、ユーザ嗜好情報が示す設定条件を満たすコンテンツ（例えば、ユーザ嗜好情報が示すジャンルに属するコンテンツ）を抽出してもよい。また、優先順位決定部５は、複数の条件を全て満たすコンテンツを抽出してもよい。
【０１６２】
なお、上述のコンテンツの抽出にユーザ嗜好情報を利用しないのであれば、個人情報記憶部４１からユーザ嗜好情報を読み出すステップＳ２０２は不要である。
【０１６３】
優先順位決定部５は、所定の基準を満たしていると判断したコンテンツについて（Ｓ２０３においてＹＥＳ）、当該コンテンツのＩＤを仮選択テーブル（図示せず）へ追加する（Ｓ２０４）。仮選択テーブルとは、優先順位を決定する対象となるコンテンツを一時的に登録するためのテーブルである。
【０１６４】
そして、優先順位決定部５は、コンテンツ記憶部４２に保存されている全てのコンテンツについて、所定の条件を満たしているかどうかの判定（および抽出）を行う。全てのコンテンツについて処理を行うと（Ｓ２０５においてＹＥＳ）、優先順位決定部５は、抽出したコンテンツ（すなわち、仮選択テーブルに登録されたコンテンツ）について、受信状況に基づいて優先順位の決定を行う（Ｓ２０６）。
【０１６５】
〔受信状況に基づく優先順位決定方法の変更例〕
受信状況に基づく優先順位の決定方法として、コンテンツの特定の部分（例えば、コンテンツの放送終了前１０分）についての受信状況に重きをおく方法を用いてもよい。コンテンツがドラマであれば、後半部分が見所になっている場合が多く、後半部分の受信状況が良いことが好ましい。
【０１６６】
このようにコンテンツの特定の部分についての受信状況を記録するために、受信状況情報生成部２１は、コンテンツのデータ構成における特定の部分の受信状況に対して重み付けされた受信状況情報を生成する。
【０１６７】
具体的には、受信状況情報生成部２１は、あるコンテンツが放送されている間、所定の時間間隔で電界強度測定値を取得し、当該コンテンツの放送時間全体における特定の時間帯の受信状況が良い（すなわち、電界強度測定値が所定のレベル以上である）コンテンツに対して正の重み付けを行う。
【０１６８】
例えば、受信状況情報生成部２１は、各コンテンツの受信状況情報をスコアで示す場合に、コンテンツの放送終了前１０分における電界強度測定値が所定のレベル以上であるコンテンツのスコアを増加させてもよい。
【０１６９】
また、受信状況情報生成部２１は、コンテンツの放送終了前１０分における電界強度測定値が所定のレベルを下回っているコンテンツを特定するための情報（低品質コンテンツ特定情報）を、受信状況情報のひとつとして受信状況テーブルに加えても良い。
【０１７０】
この場合、優先順位決定部５は、低品質コンテンツ特定情報が示すコンテンツの優先順位を下げるか、または、当該コンテンツを、再生対象の候補から削除する。なお、コンテンツの放送時間は、ＥＰＧから取得すればよい。
【０１７１】
このように、優先順位決定部５は、番組の後半の受信状況が良いコンテンツに対して正の重み付けがなされた受信状況情報に基づいてコンテンツの優先順位を決定してもよい。この構成により、番組の結末の視聴が可能なコンテンツについて再生の優先順位を上げることができる。
【０１７２】
〔コンテンツの保存および消去〕
携帯情報端末１００は、受信状況が悪いときにユーザに何らかのコンテンツを提供するために、ユーザの明示的な指示がなくとも自動的にコンテンツを受信し、受信したコンテンツをコンテンツ記憶部４２へ保存する。
【０１７３】
特に、携帯情報端末１００は、受信状況が悪くとも放送信号が受信可能である限り受信したコンテンツを一旦保存し、不要なコンテンツ（例えば、受信状況が悪いコンテンツ）を後から消す。これは、受信状況の悪いものを保存しないようにすると、コンテンツ記憶部４２に何も保存されなくなってしまう可能性があるためである。こうした２段階の手続きにより、何らかの放送は視聴できる状態にした上で、より品質の良いものをユーザに提供できる。
【０１７４】
ここでは、受信したコンテンツをコンテンツ記憶部４２に保存するときに、コンテンツ記憶部４２の空き領域の容量が所定の値以下である場合に、既にコンテンツ記憶部４２に保存されているコンテンツの一部を消去して、新たなコンテンツを保存する処理について説明する。図６は、携帯情報端末１００におけるコンテンツ保存処理の流れの一例を示すフローチャートである。
【０１７５】
図６に示すように、まず、放送を受信すると、受信状況測定部１１は、放送電波の電界強度を測定し、その測定値である電界強度測定値を受信状況情報生成部２１および受信状況判定部２２へ出力する（Ｓ３０１）。
【０１７６】
受信状況情報生成部２１は、上述したように、受信状況測定部１１から出力された電界強度測定値から受信状況情報を生成する（Ｓ３０２）。
【０１７７】
受信状況判定部２２は、電界強度測定値を受信すると、当該電界強度測定値が所定値以上であるかどうかを判定することにより、受信障害の発生の有無（放送を受信可能かどうか）を判定する（Ｓ３０３）。
【０１７８】
受信障害が発生していると判定された場合（Ｓ３０３においてＹＥＳ）、携帯情報端末１００は受信状況が改善するまでコンテンツの保存を保留する。
【０１７９】
なお、ここで、受信障害の発生の有無を判定するための電界強度測定値の所定値を高く設定すれば、所定のレベル以上の品質を有するコンテンツのみをコンテンツ記憶部４２に保存する構成を実現できる。
【０１８０】
一方、受信障害が発生していないと判定した場合（Ｓ３０３においてＮＯ）、受信状況判定部２２は、受信障害が発生していない旨を示す受信可能情報をコンテンツ管理部３のへ出力する。なお、上述したように受信障害の発生の有無を判定するための指標は、電界強度に限定されない。
【０１８１】
コンテンツ特定部３１は、受信可能情報を受けると、その時点で受信されているコンテンツが表示部８２へ出力されているかどうか（当該コンテンツをユーザが視聴しているかどうか）を判定する（Ｓ３０４）。例えば、コンテンツ特定部３１は、携帯情報端末１００が、その時点で放送視聴モードになっているかどうかを判定することにより、その時点で受信されているコンテンツが表示部８２へ出力されているかどうかを判定すればよい。
【０１８２】
コンテンツが表示部８２へ出力されていると判定した場合（Ｓ３０４においてＹＥＳ）、コンテンツ特定部３１は、コンテンツの保存を行わない決定をする。
【０１８３】
ユーザが既に視聴しているコンテンツを保存し、その後再生しても、ユーザの視聴意欲は沸かない可能性がある。そのため、ユーザが既に視聴しているコンテンツは保存しないようにすることにより、コンテンツ記憶部４２に保存されたコンテンツをユーザが意欲的に視聴する可能性を高めることができる。
【０１８４】
なお、携帯情報端末１００が受信部１０を複数備えている場合には、表示部８２へコンテンツデータが出力されていない方の受信部１０が受信したコンテンツをコンテンツ記憶部４２に保存すればよい。
【０１８５】
また、コンテンツを保存している最中にユーザが当該保存中のコンテンツの視聴を開始した場合には、保存を中止して別のコンテンツの保存を開始してもよいし、保存を続けてもよい。
【０１８６】
コンテンツが表示部８２へ出力されていないと判定した場合（Ｓ３０４においてＮＯ）、コンテンツ特定部３１は、コンテンツ格納部３２に対して、受信したコンテンツをコンテンツ記憶部４２に保存することを命じるコンテンツ保存命令を出力する。
【０１８７】
コンテンツ格納部３２は、コンテンツ保存命令を受信すると、所定の容量の空き領域をコンテンツ記憶部４２が有しているかどうかを判定する（Ｓ３０５）。
【０１８８】
コンテンツ記憶部４２に上記空き領域があると判定した場合（Ｓ３０５においてＹＥＳ）、コンテンツ格納部３２は受信したコンテンツを、当該コンテンツの放送が終了するまでコンテンツ記憶部４２に保存する（Ｓ３０６、Ｓ３０７）。
【０１８９】
コンテンツの保存を終了すると、コンテンツ格納部３２は、保存したコンテンツについてのタイトル、ＩＤなどの情報（コンテンツ関連情報）を受信状況情報生成部２１へ出力する。
【０１９０】
受信状況情報生成部２１は、コンテンツ格納部３２から出力されたコンテンツ関連情報、電界強度測定値から生成した受信状況情報およびタイマー９から出力された日時情報を用いて、上述したように受信状況テーブルを作成する（Ｓ３０８）。この処理により、保存されたコンテンツとその受信状況情報とが対応付けられる。
【０１９１】
一方、上記空き領域がないと判定した場合（Ｓ３０５においてＮＯ）、コンテンツ格納部３２は、コンテンツ記憶部４２に保存されているコンテンツの一部を消去することを命じる消去命令を消去対象選択部６へ出力する。
【０１９２】
なお、コンテンツ格納部３２は、受信するコンテンツの予想される容量を算出し、算出した容量の空き領域を確保するよう消去対象選択部６に指示してもよい。また、コンテンツ格納部３２は。コンテンツ記憶部４２の空き容量がなくなったことを契機として消去命令を消去対象選択部６へ出力してもよい。
【０１９３】
消去対象選択部６は、消去命令を受信すると、例えば、コンテンツ記憶部４２に保存されているコンテンツのうちで、保存時の受信状況が最も悪いコンテンツを選択し（Ｓ３０９）、選択したコンテンツを消去することにより、所定の容量の空き領域を確保する（Ｓ３１０）。このとき、１つのコンテンツを消去しても、所定の容量の空き領域が確保できないと判断した場合には、消去対象選択部６は、保存時の受信状況が悪い順に複数のコンテンツを消去する。
【０１９４】
このときコンテンツそのものを消去する必要は必ずしもなく、コンテンツ記憶部４２におけるコンテンツの記録領域を管理する管理テーブルを変更することにより、実際にはコンテンツが残っていても、消去されたものとして扱うことができる。管理テーブルは、記憶部４の特定領域に保存されている。
【０１９５】
コンテンツ格納部３２は、所定の容量の空き領域を確保すると（Ｓ３０５においてＹＥＳ）、その旨を示す消去完了情報をコンテンツ格納部３２へ出力する。
【０１９６】
コンテンツ格納部３２は、消去完了情報を受信すると、受信したコンテンツを放送が終了するまでコンテンツ記憶部４２へ保存する（Ｓ３０６、Ｓ３０７）。
【０１９７】
以下の処理は、上述したものと同様のためその説明を省略する。
【０１９８】
なお、停電や電圧降下時にはコンテンツの保存を実施しないようにしてもよい。これにより、特に携帯情報端末などのバッテリーを備える装置では、省電力となることが期待できる。
【０１９９】
また、受信状況判定部２２は、コンテンツの受信状況を連続して、または、所定時間毎に繰り返し検出し、コンテンツの保存途中で放送信号が受信不可となった時間範囲では保存を一時中止する命令をコンテンツ格納部３２へ出力してもよい。
【０２００】
または、表示画面制御部７２は、コンテンツを再生する際に、受信不可であった時間範囲をスキップして再生してもよい。この構成を実現するために、スキップすべき範囲を示す情報（スキップ情報）がコンテンツと対応付けてコンテンツ記憶部４２に格納されている。スキップ情報は、受信状況判定部２２によって生成されればよい。
【０２０１】
〔携帯情報端末１００の効果〕
放送の受信状況が変化し、場合によっては受信不可能となるような環境であっても、受信状況が良好であった時に録画しておいた信号品質の良い放送（コンテンツ）が優先的に示されたリストをユーザに提示することができる。その結果として、ユーザに良質のコンテンツを提供することができる。
【０２０２】
〔実施の形態２〕
本発明の他の実施形態について図７〜図８に基づいて説明すれば、以下のとおりである。なお、実施の形態１と同様の部材に関しては、同じ符号を付し、その説明を省略する。
【０２０３】
次に、本発明の別の実施形態に係る携帯情報端末２００の構成について、その要部を示すブロック図である図７を参照して説明する。
【０２０４】
携帯情報端末１００では、コンテンツ選択画面を表示し、再生するコンテンツをユーザに選択させた。これに対して、携帯情報端末２００では、優先順位決定部５により、受信状況情報に基づいてコンテンツの優先順位が決定されれば、その順位にしたがって自動的にコンテンツが再生される。
【０２０５】
すなわち、優先順位決定部５は、受信状況に基づいて、受信されたコンテンツの中から優先的な再生対象となるコンテンツを選択する。
【０２０６】
具体的には、優先順位決定部５は、コンテンツの受信状況に基づいて、受信されたコンテンツを再生する優先順位を決定し、その優先順位が最上位のコンテンツを再生対象として特定する。そして、優先順位決定部５は、再生対象として特定したコンテンツを再生するよう表示画面制御部７２に指示する。最上位のコンテンツの再生が終了すれば、優先順位決定部５は、その次の順位のコンテンツを再生させる。コンテンツの自動再生が開始されるタイミングは、ユーザが放送を視聴しようとした際または視聴中に、放送信号が受信できない状況である。
【０２０７】
このように、携帯情報端末２００では、ユーザがコンテンツ選択画面において再生対象のコンテンツを選択する処理は行われないため、携帯情報端末２００は、コンテンツ選択画面を生成する選択画面生成部７１を備えない。
【０２０８】
〔携帯情報端末２００における再生処理の流れ〕
次に、携帯情報端末２００におけるコンテンツの自動再生処理の流れの一例について説明する。図８は、携帯情報端末２００におけるコンテンツの自動再生処理の流れの一例を示すフローチャートである。ここでは、ユーザが放送電波を受信してコンテンツを視聴している最中に、受信環境が変化して受信信号の品質が低下したことを契機として自動再生を開始する場合の処理について説明する。また、受信状況テーブルは、既に生成されてもとし、受信状況情報生成部２１における受信状況テーブルの生成処理については、その説明を省略する。
【０２０９】
図８に示すように、ユーザがオンエアされているコンテンツを視聴中であるときに（Ｓ４０１においてＹＥＳ）、受信状況測定部１１は、受信した電波の電界強度を測定し、電界強度測定値を受信状況判定部２２へ出力する（Ｓ４０２）。
【０２１０】
受信状況判定部２２は、受信した電界強度測定値に基づいて受信障害の発生の有無を判断する（Ｓ４０３）。例えば、受信状況判定部２２は、ユーザが視聴しているチャンネルの放送電波が一定時間所定の強度以上の電界強度を有さない場合に、受信障害が発生していると判定する。
【０２１１】
受信障害が発生していると判定した場合（Ｓ４０３においてＹＥＳ）、受信状況判定部２２はコンテンツ記憶部４２の管理テーブルを参照し、コンテンツ記憶部４２になんらかのコンテンツが保存されているかどうかを判定する（Ｓ４０４）。
【０２１２】
なんらかのコンテンツが保存されていると判定した場合（Ｓ４０４においてＹＥＳ）、受信状況判定部２２は、保存されているコンテンツ間の優先順位を決定することを命じる優先順位決定命令を優先順位決定部５に出力する。
【０２１３】
また、受信障害が発生していると判断した場合、受信状況判定部２２は、表示画面制御部７２を介して、受信障害が発生していることを示すメッセージを表示部８２に表示してもよい。
【０２１４】
優先順位決定命令を受信すると、優先順位決定部５は、受信状況情報記憶部４３に格納されている受信状況テーブルが示す受信状況情報に基づいて、コンテンツ記憶部４２に保存されているコンテンツ間の優先順位を決定する（Ｓ４０５）。すなわち、ユーザがコンテンツの視聴中に当該コンテンツの受信状況が所定の条件を満たさなくなったと受信状況判定部２２が判定した場合に、優先順位決定部５は、コンテンツ間の優先順位を決定することにより、優先的な再生対象のコンテンツを選択する。
【０２１５】
優先順位の決定の方法は、携帯情報端末１００におけるそれと同様である。例えば、優先順位決定部５は、コンテンツの保存日時が新しく、且つ、受信状況の良いものから順に再生対象として選択する。
【０２１６】
優先順位決定部５は、算出した優先順位における最上位のコンテンツを再生することを命じる再生命令を表示画面制御部７２へ出力する。
【０２１７】
表示画面制御部７２は、再生命令を受信すると、再生命令が示すコンテンツ（すなわち、最上位のコンテンツ）を再生する（Ｓ４０６）。
【０２１８】
最上位のコンテンツの再生が終了すれば、優先順位決定部５は、その次の順位のコンテンツを再生させてもよい。
【０２１９】
また、現在再生されているコンテンツをスキップする指示を、入力部８１を介してユーザから受信した場合に、優先順位決定部５は、次の順位のコンテンツを再生させてもよい。すなわち、自動再生はされたがユーザの趣向に合わないコンテンツであるときは、ユーザはそのコンテンツの再生を途中で止め、次に自動再生されるコンテンツを視聴することができる。
【０２２０】
〔携帯情報端末２００の効果〕
上述の構成により、放送の受信状況が変化し、場合によっては受信不可能となるような環境であっても、受信状況が良好であった時に保存しておいた信号品質の良い放送を優先的に自動再生することで、ユーザに良質のコンテンツを提供できる。
【０２２１】
〔携帯情報端末１００・２００の変更例〕
携帯情報端末１００・２００は、受信部１０、受信状況管理部２、コンテンツ管理部３、記憶部４および消去対象選択部６を備える受信装置（記録装置）と、優先順位決定部５、出力制御部７および表示部８２を備える再生装置との２つの装置を含む記録再生システムとして実現されてもよい。この場合、上記記録装置と上記再生装置とを通信可能に接続してもよい。また、記憶部４を着脱可能な記録装置として実現し、記憶部４の接続先を上記記録装置または上記再生装置に変更することで、上記記録装置と上記再生装置との間のデータ伝送を実現してもよい。
【０２２２】
〔ソフトウェアによる実現例〕
最後に、携帯情報端末１００・２００の各ブロック、特に制御部１は、集積回路（ＩＣチップ）上に形成された論理回路によってハードウェア的に実現してもよいし、ＣＰＵ（Central Processing Unit）を用いてソフトウェア的に実現してもよい。
【０２２３】
後者の場合、携帯情報端末１００・２００は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである携帯情報端末１００・２００の制御プログラムのプログラムコード（実行形式プログラム、中間コードプログラム、ソースプログラム）をコンピュータで読み取り可能に記録した記録媒体を、上記携帯情報端末１００・２００に供給し、そのコンピュータ（またはＣＰＵやＭＰＵ）が記録媒体に記録されているプログラムコードを読み出し実行することによっても、達成可能である。
【０２２４】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０２２５】
また、携帯情報端末１００・２００を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２２６】
また、上記実施形態は、次のように表現することもできる。
【０２２７】
上記携帯情報端末は、記録再生装置とも表現でき、放送を受信する放送受信手段、放送の受信状況を取得する受信状況取得手段、放送受信手段が受信した放送をコンテンツとして保存する保存手段、及び、保存手段によって保存されたコンテンツを再生する出力手段を備え、上記コンテンツが、保存手段によって保存される際に、受信状況取得手段によって取得された受信状況の情報が、上記コンテンツと対応付けられて保存され、上記保存手段によって保存されたコンテンツが再生される際には、保存時の受信状況の良好なコンテンツが優先的にユーザに提示される。
【０２２８】
また、上記携帯情報端末は、記録再生装置とも表現でき、放送を受信する放送受信手段、放送の受信状況を取得する受信状況取得手段、放送受信手段が受信した放送をコンテンツとして保存する保存手段、及び、保存手段によって保存されたコンテンツを再生する出力手段を備え、上記コンテンツが、保存手段によって保存される際に、受信状況取得手段によって取得された受信状況の情報が、上記コンテンツと対応付けられて保存され、上記保存手段によって保存されたコンテンツが再生される際には、保存時の受信状況の良好なコンテンツから順に再生されるか、または、保存時の受信状況の良好なコンテンツから順に並べられたコンテンツリストを作成し、ユーザに提示する。
【０２２９】
上記記録再生装置では、保存手段によって保存されたコンテンツの再生、または、コンテンツリストの提示が、保存日時が新しく、且つ、保存時の受信状況の良好なコンテンツから順に行われてもよい。
【０２３０】
また、上記携帯情報端末は、記録再生装置とも表現でき、放送を受信する放送受信手段、放送の受信状況を取得する受信状況取得手段、放送受信手段が受信した放送をコンテンツとして保存する保存手段、及び、保存手段によって保存されたコンテンツを再生する出力手段を備え、上記コンテンツが、保存手段によって保存される際に、受信状況取得手段によって取得された受信状況の情報が、上記コンテンツと対応付けられて保存され、上記保存手段によって保存されたコンテンツの量が予め決められた所定の量を超えた場合には、保存時の受信状況が悪い番組から順に消去し、新たなコンテンツを保存する。
【０２３１】
上記記録再生装置では、保存手段によって保存されたコンテンツの量が予め決められた所定の量を超えた場合には、保存日時が古く、且つ、保存時の受信状況が悪い番組から順に消去し、新たなコンテンツを保存してもよい。
【０２３２】
上記携帯情報端末は、上記記録再生装置と一体として、または、別個に配置された表示装置であるとも表現でき、ユーザが放送を視聴する際の受信状況が、閾値よりも悪い場合に、上記記録再生装置からのコンテンツの再生、または、コンテンツリストの提示を行う。
【０２３３】
上記記録再生装置では、上記受信状況の情報と対応付けられたコンテンツの保存が、ユーザが放送を視聴していないタイミングで行われてもよい。
【０２３４】
上記記録再生装置では、録画時の電波状態をユーザに提示し、保存手段によって保存されたコンテンツの再生、または、コンテンツリストの提示に際して、保存時の受信状況の情報が合わせて提示されてもよい。
【０２３５】
上記携帯情報端末は、上記記録再生装置と、上記記録再生装置によって保存されたコンテンツを表示するためのディスプレイとを備える表示装置であると表現できる。
【０２３６】
上記携帯情報端末は、上記記録再生装置と、上記記録再生装置によって保存されたコンテンツを表示するためのディスプレイとを備えている。
【産業上の利用可能性】
【０２３７】
本発明は、放送の受信状況が悪い場合でも視聴または聴取可能なコンテンツをユーザへ提供できるため、コンテンツを視聴または聴取できる携帯情報端末だけでなく、据え置き型のテレビ・ラジオなど移動を前提としない受信装置にも利用することができる。
【符号の説明】
【０２３８】
２    受信状況管理部
２１    受信状況情報生成部（受信状況情報生成手段）
３    コンテンツ管理部
３１    コンテンツ特定部（特定手段）
３２    コンテンツ格納部（格納手段）
４    記憶部
４１    個人情報記憶部
４２    コンテンツ記憶部
４３    受信状況情報記憶部
５    優先順位決定部（取得手段、選択手段）
６    消去対象選択部（選択手段）
１０    受信部
１１    受信状況測定部
８２    表示部（出力部、報知部）
１００  携帯情報端末
２００  携帯情報端末
【図１】
2012186690.tif 000003
【図２】
2012186690.tif 000004
【図３】
2012186690.tif 000005
【図４】
2012186690.tif 000006
【図５】
2012186690.tif 000007
【図６】
2012186690.tif 000008
【図７】
2012186690.tif 000009
【図８】
2012186690.tif 000010